(57)【要約】【課題】カラオケ照明演出パターンの創造性及び利用性を高めてカラオケ空間の高揚感を向上することが可能な、カラオケ照明演出パターンの作成及び共有のためのサーバを提供する。【解決手段】サーバ２は、カラオケ照明演出パターンの作成のためのアプリケーションを作成ユーザサイトＣに提供するアプリ提供部２１と、アプリケーション上で作成されて作成ユーザサイトＣから供給されるカラオケ照明演出パターンをカラオケ楽曲に対応付けて登録パターンとして登録するパターン登録部２２と、歌唱ユーザサイトＳから照会されるカラオケ楽曲に対応する登録パターンである候補パターンの識別情報を歌唱ユーザサイトＳに提示する候補パターン提示部２３と、候補パターンの中から歌唱ユーザサイトＳによって選択された候補パターンである決定パターンの照明制御データを歌唱ユーザサイトＳに供給する決定パターン供給部２４とを備える。【選択図】  図１
2019128556.tif 000002
【特許請求の範囲】
【請求項１】
作成ユーザサイト及び歌唱ユーザサイトにおけるカラオケ照明演出パターンの作成及び共有のためのサーバであって、
カラオケ照明演出パターンの作成のためのアプリケーションを前記作成ユーザサイトに提供するアプリ提供部と、
前記アプリケーション上で作成されて前記作成ユーザサイトから供給されるカラオケ照明演出パターンをカラオケ楽曲に対応付けて登録パターンとして登録するパターン登録部と、
前記歌唱ユーザサイトから照会されるカラオケ楽曲に対応する登録パターンである候補パターンの識別情報を前記歌唱ユーザサイトに提示する候補パターン提示部と、
前記候補パターンの中から前記歌唱ユーザサイトによって選択された候補パターンである決定パターンの照明制御データを前記歌唱ユーザサイトに供給する決定パターン供給部と
を備えるサーバ。
【請求項２】
前記候補パターン提示部が、前記候補パターンの識別情報に少なくとも当該候補パターンの作成者名を含めるように構成された、請求項１に記載のサーバ。
【請求項３】
前記登録パターンの評価に関する評価情報を集計する評価集計部と、
前記登録パターンの前記評価情報を当該登録パターンの前記作成ユーザに通知する評価通知部と
をさらに備える請求項１又は２に記載のサーバ。
【請求項４】
前記登録パターンの評価に関する評価情報を集計する評価集計部をさらに備え、
前記候補パターン提示部が、前記登録パターンの前記評価情報を前記候補パターンの前記識別情報に含めるように構成された、請求項１又は２に記載のサーバ。
【請求項５】
前記登録パターンの前記評価情報が、前記歌唱ユーザサイトにおける前記登録パターンの再生回数である、請求項３又は４に記載のサーバ。
【請求項６】
前記登録パターンの前記評価情報が、前記決定パターンとして実行された前記登録パターンに対する前記歌唱ユーザサイトによる点数評価又は良否評価を含むユーザ評価である、請求項３又は４のサーバ。
【請求項７】
作成ユーザサイト及び歌唱ユーザサイトにおけるカラオケ照明演出パターンの作成及び共有のためのシステムであって、
請求項１から６のいずれか一項に記載のサーバと、前記歌唱ユーザサイトに配置された制御装置とを備え、該制御装置が、
前記歌唱ユーザによって選択されたカラオケ楽曲に対応する前記候補パターンを前記サーバに照会するパターン照会部と、
前記サーバから提示される前記候補パターンの識別情報を前記歌唱ユーザに提示し、前記歌唱ユーザからの入力に応じて前記候補パターンから前記決定パターンを決定し、該決定パターンの識別を前記サーバに送信するパターン決定部と、
前記選択されたカラオケ楽曲のカラオケ装置による演奏と同期するように、前記サーバから供給される前記決定パターンの照明制御データに応じて発光装置を制御するパターン実行部と
を備える、システム。
【請求項８】
前記パターン実行部が、前記決定パターンの実行中又は実行終了時に、前記決定パターンの前記識別情報の一部又は全部を前記カラオケ装置のディスプレイに表示させるように構成された、請求項７に記載のシステム。
【請求項９】
前記パターン決定部が、前記決定パターンの実行中に、前記歌唱ユーザから前記決定パターンの変更を受け付け、前記候補パターンを前記歌唱ユーザに再度提示し、前記歌唱ユーザからの入力に応じて前記決定パターンを新たな決定パターンに同一パターン進行位置で切り替えるように構成された、請求項７又は８に記載のシステム。
【請求項１０】
作成ユーザサイト及び歌唱ユーザサイトにおけるカラオケ照明演出パターンの作成及び共有のためのシステムであって、
請求項３から６のいずれか一項に記載のサーバと、前記歌唱ユーザサイトに配置された制御装置とを備え、該制御装置が、
前記歌唱ユーザによって選択されたカラオケ楽曲に対応する前記候補パターンを前記サーバに照会するパターン照会部と、
前記サーバから提示される前記候補パターンの識別情報を前記歌唱ユーザに提示し、前記歌唱ユーザからの入力に応じて前記候補パターンから前記決定パターンを決定し、該決定パターンの識別を前記サーバに送信するパターン決定部と、
前記選択されたカラオケ楽曲のカラオケ装置による演奏と同期するように、前記サーバから供給される前記決定パターンの照明制御データに応じて発光装置を制御するパターン実行部と、
前記決定パターンとして実行された前記登録パターンに対する前記評価情報を前記サーバに提供するパターン評価部と
を備える、システム。
【請求項１１】
前記パターン評価部が、前記決定パターンの継続期間のうちの所定割合以上の部分が実行された場合に前記決定パターンの再生回数を増分する信号を前記サーバに送信するように構成された、請求項１０に記載のシステム。
【請求項１２】
前記パターン評価部が、前記決定パターンの実行終了時に、前記決定パターンの点数評価又は良否判定を含むユーザ評価を前記歌唱ユーザから受け付け、前記ユーザ評価を前記サーバに送信するように構成された、請求項１０又は１１に記載のシステム。
【発明の詳細な説明】
【技術分野】
【０００１】
本発明は、カラオケ照明演出パターンの作成及び共有のためのサーバ及びシステムに関する。
【背景技術】
【０００２】
特許文献１は、通信カラオケシステムを開示する。この通信カラオケシステムでは、それぞれカラオケ装置が設置された第１拠点と第２拠点とが、伝送路を介して通信可能に接続される。第１拠点は、照明制御データに基づいてカラオケ楽曲に同期して照明装置を制御する照明制御手段を備え、第２拠点は、伝送路を介して第１拠点に制御信号を送信することによって第１拠点の照明制御手段を遠隔操作する遠隔操作手段を備える。第１拠点の照明制御手段は、取得した照明制御データと、第２拠点の遠隔操作手段から受信した制御信号とに基づいて、照明装置を制御して照明効果を演出する。これにより、通信デュエットを行っている歌唱者の拠点同士で照明効果が共有され、歌唱者の一体感の向上が図られる。
【先行技術文献】
【特許文献】
【０００３】
【特許文献１】特開２０１５−４９２６２号公報
【発明の概要】
【発明が解決しようとする課題】
【０００４】
ところで、カラオケの歌唱シーンにおけるクオリティの高い演出照明は、歌唱者及びそのオーディエンスに高揚感を与えることができ、カラオケの需要を喚起する上で重要な要素である。例えば、カラオケボックスとはいえ、コンサート会場さながらの照明空間で歌うことができれば、歌唱者はアーティスト気分、アイドル気分などを味わうことができ、オーディエンスもテンションを高めて盛り上がることができる。しかし、特許文献１のような構成では、歌唱ユーザは、カラオケ装置に予め設定された比較的単純な照明パターンを選択することしかできない。すなわち、歌唱者及びオーディエンスは、ライブにおける演出照明のような作り込まれたクオリティの高い演出照明、すなわち、より創造性の高い演出照明の中で歌唱を楽しむことができず、盛り上がりに欠けることもある。また、コンサート、ライブのために作り込まれた演出照明などはその後利用されることはない。これは、照明演出の作成労力に関する経済性の観点から好ましくない。したがって、カラオケ照明演出パターンをより創造的にするとともにその利用性を高め、カラオケ空間の高揚感を向上することが望ましい。
【０００５】
そこで、本発明は、カラオケ照明演出パターンの創造性及び利用性を高めてカラオケ空間の高揚感を向上することが可能な、カラオケ照明演出パターンの作成及び共有のためのサーバ及びシステムを提供することを課題とする。
【課題を解決するための手段】
【０００６】
本発明の、作成ユーザサイト及び歌唱ユーザサイトにおけるカラオケ照明演出パターンの作成及び共有のためのサーバは、カラオケ照明演出パターンの作成のためのアプリケーションを作成ユーザサイトに提供するアプリ提供部と、アプリケーション上で作成されて作成ユーザサイトから供給されるカラオケ照明演出パターンをカラオケ楽曲に対応付けて登録パターンとして登録するパターン登録部と、歌唱ユーザサイトから照会されるカラオケ楽曲に対応する登録パターンである候補パターンの識別情報を歌唱ユーザサイトに提示する候補パターン提示部と、候補パターンの中から歌唱ユーザサイトによって選択された候補パターンである決定パターンの照明制御データを歌唱ユーザサイトに供給する決定パターン供給部とを備える。
【０００７】
上記構成によると、作成ユーザは、カラオケ楽曲に対するカラオケ照明演出パターンを作成してそれをサーバに登録し、歌唱ユーザは、サーバに登録されたカラオケ照明演出パターンのうちの所望のパターンによる照明演出の中でそのカラオケ楽曲の歌唱を楽しむことができる。これにより、カラオケ照明演出パターンの創造性及び利用性を高めてカラオケ空間の高揚感を向上することが可能な、カラオケ照明演出パターンの作成及び共有のためのサーバが実現される。
【０００８】
ここで、候補パターン提示部は、候補パターンの識別情報に少なくともその候補パターンの作成者名を含めることが好ましい。これにより、良好なカラオケ照明演出パターンを作成する作成ユーザの認知度が歌唱ユーザ間で高まり、作成ユーザにおけるカラオケ照明演出パターンの作成が奨励される。
【０００９】
さらに、サーバは、登録パターンの評価に関する評価情報を集計する評価集計部と、登録パターンの評価情報をその登録パターンの作成ユーザに通知する評価通知部とを備えていてもよい。これにより、作成ユーザは、サーバから通知される登録パターンの評価情報を参照して、より市場性の高いカラオケ演出照明パターンを作成することが可能となる。
【００１０】
あるいは、サーバは、登録パターンの評価に関する評価情報を集計する評価集計部を備え、候補パターン提示部が、登録パターンの評価情報を候補パターンの識別情報に含めるように構成されてもよい。これにより、歌唱ユーザは、各候補パターンの評価情報を参照して決定パターンを決定することができ、その容易な決定が可能となる。
【００１１】
例えば、登録パターンの評価情報は、歌唱ユーザサイトにおけるその登録パターンの再生回数である。これにより、再生回数が登録パターンの評価情報として作成ユーザに通知される場合には、作成ユーザは自己の作成したカラオケ照明演出パターンの品質を客観的に判断することができ、より良好なカラオケ照明演出パターンの作成が促進される。また、再生回数が候補パターンの識別情報の一部として歌唱ユーザに提供される場合には、歌唱ユーザは、再生回数に基づいて人気の高いカラオケ照明演出パターンを知ることができ、候補パターンから決定パターンを容易に決定することが可能となる。
【００１２】
また、登録パターンの評価情報は、決定パターンとして実行された登録パターンに対する歌唱ユーザサイトによる点数評価又は良否評価を含むユーザ評価であってもよい。これにより、ユーザ評価が登録パターンの評価情報として作成ユーザに通知される場合には、作成ユーザは自己の作成したカラオケ照明演出パターンの品質をある程度客観的に判断することができ、より良好なカラオケ照明演出パターンの作成が促進される。また、ユーザ評価が候補パターンの識別情報の一部として歌唱ユーザに提供される場合には、歌唱ユーザは、評価に基づいて質の高いカラオケ照明演出パターンを知ることができ、候補パターンから決定パターンを容易に決定することが可能となる。
【００１３】
本発明の、作成ユーザサイト及び歌唱ユーザサイトにおけるカラオケ照明演出パターンの作成及び共有のためのシステムは、上記いずれかのサーバと、歌唱ユーザサイトに配置された制御装置とを備える。制御装置は、歌唱ユーザによって選択されたカラオケ楽曲に対応する候補パターンをサーバに照会するパターン照会部と、サーバから提示される候補パターンの識別情報を歌唱ユーザに提示し、歌唱ユーザからの入力に応じて候補パターンから決定パターンを決定し、決定パターンの識別をサーバに送信するパターン決定部と、選択されたカラオケ楽曲のカラオケ装置による演奏に同期するように、サーバから供給される決定パターンの照明制御データに応じて発光装置を制御するパターン実行部とを備える。
【００１４】
上記構成によると、システムが上記サーバを含むので、照明演出パターンの創造性及び利用性を高めてカラオケ空間の高揚感を向上することが可能な、照明演出パターンの作成及び共有のためのシステムが実現される。また、制御装置が、サーバへの候補パターンの照会、歌唱ユーザへの候補パターンの提示、歌唱ユーザによる決定パターンの決定及びその識別の送信並びにカラオケ照明演出パターンの実行を統括制御することができる。これにより、歌唱ユーザサイトへのシステムの導入容易性が得られる。
【００１５】
ここで、パターン実行部は、決定パターンの実行中又は実行終了時に、決定パターンの識別情報の一部又は全部をカラオケ装置のディスプレイに表示させることが好ましい。これにより、歌唱ユーザは、決定した決定パターンを容易に認識及び記憶することができる。
【００１６】
また、パターン決定部は、決定パターンの実行中に、歌唱ユーザから決定パターンの変更を受け付け、候補パターンを歌唱ユーザに再度提示し、歌唱ユーザからの入力に応じて決定パターンを新たな決定パターンに同じパターン進行位置で切り替えるように構成されてもよい。これにより、歌唱ユーザは、カラオケ楽曲の歌唱中に所望のカラオケ照明演出パターンを効率的に探すことができる。
【００１７】
また、制御装置は、決定パターンとして実行された登録パターンに対する評価情報をサーバに提供するパターン評価部をさらに備え、パターン評価部は、決定パターンの継続期間のうちの所定割合以上の部分が実行された場合に決定パターンの再生回数を増分させる信号をサーバに送信するように構成されてもよい。これにより、照明演出パターンの試行的な実行又は途中で打ち切られた照明演出パターンの実行が再生回数に含まれず、各登録パターンの人気の指標としての再生回数の信憑性が増す。
【００１８】
また、制御装置は、決定パターンとして実行された登録パターンに対する評価情報をサーバに提供するパターン評価部をさらに備え、パターン評価部は、決定パターンの実行終了時に、決定パターンのユーザ評価を歌唱ユーザから受け付け、受け付けたユーザ評価をサーバに送信するように構成されてもよい。これにより、サーバにおいて、より正確な評価情報が得られる。
【図面の簡単な説明】
【００１９】
【図１】本発明の実施形態による、カラオケ照明演出パターンの作成及び共有のためのシステムを示すブロック図である。
【図２】本発明の実施形態による、カラオケ照明演出パターンの作成及び共有のためのシステムにおける処理を示すフロー図である。
【発明を実施するための形態】
【００２０】
＜実施形態＞
図１に、本発明の実施形態による、カラオケ照明演出パターンの作成及び共有のためのシステム１のブロック図を示す。システム１は、サーバ２並びにサーバ２にアクセス可能な作成ユーザサイトＣ及び歌唱ユーザサイトＳで構成される。作成ユーザサイトＣは、パソコンなどのユーザ端末３を含む。歌唱ユーザサイトＳは、カラオケルームなどであり、カラオケ装置４、発光装置５及び制御装置６を備える。なお、図１においては、１つの作成ユーザサイトＣ及び１つの歌唱ユーザサイトＳを示すが、複数の作成ユーザサイトＣ及び複数の歌唱ユーザサイトＳがサーバ２に接続され得る。なお、本開示において、歌唱ユーザは、歌唱者だけでなく同じ歌唱ユーザサイトＳに存在する同伴者（オーディエンス）も含み得るものと定義される。
【００２１】
システム１の概略として、まず、作成ユーザサイトＣの作成ユーザが、カラオケ楽曲に合わせてカラオケ照明演出パターン（以下、「照明演出パターン」という）を作成し、作成した照明演出パターンをサーバ２に登録する。これにより、サーバ２には、各カラオケ楽曲に対して作成ユーザからの照明演出パターンが登録されていく。一方、歌唱ユーザサイトＳの歌唱ユーザは、カラオケ楽曲の選択とともに、サーバ２から所望の照明演出パターンを選択することができる。これにより、歌唱ユーザサイトＳでは、カラオケ楽曲の演奏とともに、歌唱ユーザにとって所望の照明演出パターンによる演出照明が実行される。
【００２２】
サーバ２は、通信部２０、アプリ提供部２１、パターン登録部２２、候補パターン提示部２３、決定パターン供給部２４、評価集計部２５、評価通知部２６及び記憶部２７（データベース）を有する。これらの各部は、システムバスによってデータ及び信号のやり取りが可能な態様で接続される。サーバ２は、照明演出パターンの作成及び共有のためのプラットフォームを構成する。
【００２３】
通信部２０は、作成ユーザサイトＣ（ユーザ端末３）及び歌唱ユーザサイトＳ（制御装置６）とインターネットなどを介して通信可能な通信デバイスである。通信部２０と作成ユーザサイトＣ（ユーザ端末３）及び歌唱ユーザサイトＳ（制御装置６）とは、例えば、３Ｇ、４Ｇ（ＬＴＥ）などによって無線接続されてもよいし、適宜の通信規格によって有線接続されてもよい。
【００２４】
アプリ提供部２１は、作成ユーザサイトＣ（ユーザ端末３）からの要求に応じて、照明演出パターンの作成のためのアプリケーション（以下、「パターン作成アプリ」という）をユーザ端末３に提供する。すなわち、アプリ提供部２１及びパターン作成アプリの動作によって、パターン作成アプリがユーザ端末３にダウンロードされる。パターン作成アプリは、例えば、作成ユーザがカラオケ楽曲を選択し、その楽曲の歌詞の進行に応じて複数の発光体の各々の発光色又は発光強度の変化パターンを決定できるものであればよい。なお、パターン作成アプリでは、発光体の発光状態（発光色、発光強度など）だけでなく、発光体の移動（回転、パンなど）を規定できるようにしてもよい。
【００２５】
例えば、カラオケ楽曲がイントロ→Ａメロ→Ｂメロ→サビ（Ｃメロ）→間奏→Ａメロ→Ｂメロ→サビ（Ｃメロ）→間奏→サビ（Ｃメロ）→アウトロのパートで構成されている場合に、作成ユーザは各パートに対して所望の発光態様を設定することができる。例えば、イントロからＡメロのパートでは、オレンジ色のフェードインが明滅とともに実行されるようにして、歌唱者がオレンジ色の光の中に登場してそこに映えていくような演出が可能となる。また、サビのパートでは白と黄色の点滅が所定のスポットライトで実行されるとともに赤とピンクの点滅が残余のスポットライトで実行されるようにして、華やかさ、疾走感、高揚感などを増長させるような演出が可能となる。さらに、アウトロのパートでは、緑色のフェードアウトが複数のスポットライトによって時間差で実行されるようにして、歌唱者が哀愁又は郷愁の中に消えていくように見せる演出が可能となる。
【００２６】
また、パターン作成アプリは、作成ユーザの操作に応じて作成中又は作成後の照明演出パターンをユーザ端末３のディスプレイ上でデモ再生できるものであることが望ましい。例えば、デモモードにおいて、ユーザ端末３のディスプレイに、当該照明演出パターンが実行された場合のカラオケルームを模擬したＣＧが、その楽曲音声の再生とともに表示されるようにしてもよい。なお、楽曲音声の再生は、カラオケ伴奏だけの再生であってもよいし、伴奏及びボーカル（すなわち、カラオケバージョンではない通常の楽曲）の再生であってもよいし、これらを作成ユーザが選択できるようにしてもよい。作成ユーザは、作成が完了した照明演出パターンをユーザ端末３からサーバ２に供給し、それをサーバ２に登録する。
【００２７】
パターン登録部２２は、パターン作成アプリ上で作成されて作成ユーザサイトＣから供給される照明演出パターンをカラオケ楽曲（楽曲名、歌唱アーティスト名など）に対応付けて登録パターンとして記憶部２７に登録する。作成ユーザは、登録パターンに、作成者名（ハンドルネームなど）、照明演出パターンのタイトル、照明演出パターンについての簡単なコメントなどの登録情報を付加することができる。また、パターン登録部２２は、各照明演出パターンが登録された日付又は日時を登録パターンの登録情報に含めることができる。またさらに、サーバ２の管理者が、作成ユーザサイトＣから供給される照明演出パターンを視聴及び評価して、登録情報に簡単なコメントを付加できるように、サーバ２が構成されてもよい。
【００２８】
候補パターン提示部２３は、歌唱ユーザサイトＳ（制御装置６）から照会されるカラオケ楽曲に対応する登録パターンである候補パターンの識別情報を制御装置６に提示する。なお、候補パターンが存在しない場合には、候補パターン提示部２３は、デフォルト設定の簡易的な照明演出パターンを候補パターンとして提示するように構成される。候補パターンの識別情報は、登録パターンの登録情報の一部又は全部である。候補パターン提示部２３は、候補パターンの識別情報に少なくともその候補パターンの作成者名を含めることが好ましい。これにより、良好な照明演出パターンを作成する作成ユーザの認知度が歌唱ユーザの間で高まり、作成ユーザにおける照明演出パターンの作成が奨励される。識別情報の詳細については後述する。
【００２９】
決定パターン供給部２４は、候補パターン提示部２３が制御装置６に提示した候補パターンの中から歌唱ユーザによって選択された候補パターンである決定パターンの照明制御データを制御装置６に供給又は配信する。照明制御データは、制御装置６にダウンロードされてから（又はメモリ６５に一時保存されてから）カラオケ楽曲の演奏とともに実行されるようにしてもよいし、歌唱ユーザサイトＳにおけるカラオケ楽曲の演奏と同時に実質的にリアルタイムで制御装置６に配信されるようにしてもよい。
【００３０】
なお、上記説明から分かるように、決定パターンは候補パターンの集合に含まれ、候補パターンは登録パターンの集合に含まれる。したがって、同一の照明演出パターンについて、決定パターン及び候補パターンは同じ識別情報を有し、この識別情報は登録パターンの登録情報に含まれる。
【００３１】
評価集計部２５は、各登録パターンの評価に関する評価情報を集計する。評価情報は、登録パターンの利用に際して生成されるものであり、各登録パターンの人気などを示す指標となり得る。評価情報の詳細については後述する。
【００３２】
評価通知部２６は、評価集計部２５によって集計された登録パターンの評価情報をその作成ユーザ（ユーザ端末３）に通知する。この通知は、定期的に又は評価情報の更新毎にユーザ端末３に送信されるプッシュ型の通知であってもよいし、作成ユーザサイトＣからサーバ２への問合せに応じて行われるプル型の通知であってもよい。これにより、作成ユーザは、登録パターンの評価情報を参照して、より市場性の高いカラオケ演出照明パターンを作成することが可能となる。また、候補パターン提示部２３が、評価集計部２５によって集計された登録パターンの評価情報を候補パターンの識別情報に含めるようにしてもよい。これにより、歌唱ユーザは、各候補パターンの評価情報を参照して決定パターンを決定することができるので、その容易な決定が可能となる。
【００３３】
評価情報は、例えば、歌唱ユーザサイトＳにおける登録パターンの再生回数（すなわち、決定パターンとして実行された回数）、決定パターンとして実行された登録パターンに対する歌唱ユーザサイトＳによるユーザ評価などである。ユーザ評価は、例えば、歌唱ユーザによって採点される点数評価（例えば、１点〜５点の５段評価など）であってもよいし、歌唱ユーザによって下される良否評価（例えば、「いいね」などの評価）であってもよい。
【００３４】
再生回数又はユーザ評価が登録パターンの評価情報としてその作成ユーザに通知されることによって、作成ユーザは自己の作成した照明演出パターンの品質を客観的に判断することができる。これにより、より良好な照明演出パターンの作成が促進される。また、再生回数又はユーザ評価が候補パターンの識別情報の一部として歌唱ユーザに提供されることによって、歌唱ユーザは再生回数又はユーザ評価に基づいて人気の高い又は質の高い照明演出パターンを知ることができる。これにより、決定パターンの容易な決定が可能となる（すなわち、照明演出パターンの選択に要する時間が短縮化される）。
【００３５】
ユーザ端末３は、通信部３０、プロセッサ３１、メモリ３２及び入出力インターフェース（ＩＦ）３３を備える一般的なパソコンであればよい。通信部３０は、サーバ２（通信部２０）とインターネットなどを介して通信可能な通信デバイスである。プロセッサ３１は、サーバ２から提供されるパターン作成アプリのダウンロード、パターン作成アプリの実行（照明演出パターンの作成処理及びサーバ２への送信処理などを含む）など、一般的なＣＰＵとしての機能を実行可能である。メモリ３２は、プログラム（パターン作成アプリ）及びデータ（照明演出パターン）を記憶するＲＯＭ及びＲＡＭなどのメモリを含む。入出力ＩＦ３３は、ディスプレイ、マウス、キーボード、スピーカ、マイクロフォンなどであり、作成ユーザによるパターン作成アプリの操作を実現する。なお、ユーザ端末３は、本実施形態の作成ユーザサイトＣの機能を実現するものであれば、タブレット、スマートフォン、専用機器など、他の種類の端末であってもよい。
【００３６】
カラオケ装置４は、選曲装置４０、リモコン４１、ディスプレイ４２、スピーカ４３及びマイクロフォン４４を備え、一般的なカラオケ装置の構成及び機能を有する。すなわち、歌唱ユーザは、リモコン４１によって選曲装置４０を操作してディスプレイ４２上に選曲画面を表示させ、適宜の態様でカラオケ楽曲を選択することができる。選曲装置４０は、選択されたカラオケ楽曲の演奏をスピーカ４３によって再生させるとともに、対応する画像をディスプレイ４２上に表示させる。また、選曲装置４０は、カラオケ楽曲の識別（楽曲名、歌唱アーティスト名、コード番号など）又はカラオケ楽曲の開始、終了若しくは進行状況を制御装置６に出力することができる。
【００３７】
発光装置５は、発光体５０−１〜５０−ｎからなる（例えば、ｎは５程度である）。なお、発光体５０−１〜５０−ｎを総称して又はいずれか１つを代表して発光体５０というものとする。各発光体５０は、例えば、カラオケルームに設置された（ムーブ、パン可能な）スポットライト、ライン照明などであってもよいし、歌唱ユーザが装着又は保持する発光リストバンド、ペンライト（棒状の発光体）であってもよいし、スマートフォンのディスプレイであってもよい。スポットライト、ライン照明、発光リストバンド、ペンライトなどの光源は、例えば、ＬＥＤである。各発光体５０は、制御装置６によって照明制御される。
【００３８】
制御装置６は、通信部６０、パターン照会部６１、パターン決定部６２、パターン実行部６３、パターン評価部６４及びメモリ６５を備える。これらの各部は、システムバスによってデータ及び信号のやり取りが可能な態様で接続される。メモリ６５は、プログラム、データなどを記憶するＲＯＭ、ＲＡＭなどのメモリである。
【００３９】
通信部６０は、サーバ２（通信部２０）にインターネットなどを介してアクセス可能な通信デバイスである。通信部６０と通信部２０とは、例えば、３Ｇ、４Ｇ（ＬＴＥ）などによって無線接続されてもよいし、適宜の通信規格によって有線接続されてもよい。
【００４０】
パターン照会部６１は、カラオケ装置４のユーザ操作によって選択されたカラオケ楽曲（楽曲名、歌唱アーティスト名、コード番号など）に対応する登録パターン、すなわち候補パターンを、通信部６０を介してサーバ２に照会する。
【００４１】
パターン決定部６２は、サーバ２から提供される候補パターンの識別情報を歌唱ユーザに提示し、歌唱ユーザからの入力に応じて候補パターンから決定パターンを決定するように構成される。具体的には、パターン決定部６２は、候補パターンの識別情報の一部又は全部をディスプレイ４２に表示させる。歌唱ユーザは、これらの識別情報に基づいて、候補パターンの中から所望の照明演出パターン（すなわち、決定パターン）を選択することができる。そして、パターン決定部６２は、リモコン４１のユーザ操作に応じて決定された決定パターンの識別（タイトル、作成者名、コード番号など）を通信部６０からサーバ２に通知する。
【００４２】
識別情報は、例えば、各候補パターンの作成者名（ハンドルネームなど）、各候補パターンの再生回数、各候補パターンのユーザ評価、各候補パターンの作成日などを含み得る。また、このような客観的な情報又は数値の情報だけでなく、各候補パターンについてその作成ユーザ又はサーバ２の管理者が付加した主観的な情報が識別情報に含まれてもよい。例えば、各候補パターンにその作成ユーザによってタイトルが付けられている場合には、タイトルが識別情報に含まれてもよい。また、各候補パターンについて、その作成ユーザ又はサーバ２の管理者が付加したコメント（例えば、「爽やか度１０００％！」、「泣ける〜」、「クリエータ〇〇の珠玉の力作」などのキャッチーなコメント）が識別情報に含まれてもよい。
【００４３】
さらに、パターン決定部６２又は候補パターン提示部２３は、複数の候補パターンが存在する場合に、その候補パターンの表示順を変更できるようにしてもよい。例えば、パターン決定部６２又は候補パターン提示部２３は、候補パターンを作成者名順（５０音順の降順又は昇順）、再生回数順（多数順）、評価順（高評価順）、作成日順（新しい順）などのいずれかで表示させることができる。また、パターン決定部６２又は候補パターン提示部２３は、この識別情報の表示順を選択させる表示をディスプレイ４２に表示させ、リモコン４１を介した歌唱ユーザからの入力に応じてこの表示順を変更するように構成されてもよい。
【００４４】
パターン実行部６３は、選択されたカラオケ楽曲のカラオケ装置４による演奏と同期して、サーバ２から通信部６０を介して受信される決定パターンの照明制御データに応じて発光装置５を制御する。パターン実行部６３は、カラオケ楽曲の演奏と照明制御の実行とが実質的に同期するように、カラオケ装置４及び発光装置５を制御してもよいし、カラオケ装置４から入力されるカラオケ楽曲の開始又は進行状況に応じて発光装置５を制御してもよい。
【００４５】
パターン実行部６３は、発光装置５の発光体５０がスポットライト、ライン照明などの場合には、例えば、ＤＭＭＸ５１２規格に準拠したＤＭＸ信号を用いて各発光体５０を制御するように構成される。すなわち、パターン実行部６３がＤＭＸ送信部を備えるマスタとなり、各発光体５０がＤＭＸ受信部を備えるスレーブとなる。この場合、照明演出パターンからＤＭＸ信号への変換は、サーバ２（例えば、決定パターン供給部２４）において行われてもよいし、制御装置６（例えば、パターン実行部６３）において行われてもよい。また、パターン実行部６３は、発光装置５の発光体５０が発光リストバンド、ケミカルライト、スマートフォン画面などである場合にはＢｌｕｅｔｏｏｔｈ（登録商標）、Ｗｉ−Ｆｉ、赤外線通信を用いて各発光体５０を制御するように構成される。
【００４６】
また、パターン実行部６３は、決定パターンの識別情報の一部又は全部を、決定パターンの実行中又は実行終了時（又はカラオケ楽曲の演奏中又は演奏終了時）にディスプレイ４２に表示させるようにしてもよい。これにより、歌唱ユーザは、自己が選択した決定パターンの識別（タイトル、作成者名、コード番号など）を認識及び記憶しやすくなる。
【００４７】
ここで、パターン決定部６２は、パターン実行部６３による照明演出パターンの実行中（すなわちカラオケ装置４によるカラオケ楽曲の演奏中）に、歌唱ユーザから決定パターンの変更を受け付け、候補パターンをディスプレイ４２に再表示させるようにしてもよい。そして、現在実行中の照明演出パターンとは異なる照明演出パターンが歌唱ユーザによって選択された場合には、パターン決定部６２は、現在の決定パターンを新たな決定パターンに同じパターン進行位置（演奏タイミング）で切り替えるように構成される。この際、カラオケ楽曲の演奏は途切れない。これにより、歌唱ユーザは、カラオケ楽曲の歌唱中に、自己のイメージに合う照明演出パターンを効率的に試行して探すことができる。例えば、歌唱ユーザは、練習として歌唱する場合に照明演出パターンを変更しながら最もイメージに合う最適パターンを効率的に特定しておき、本番として歌唱する場合（例えば、十八番としてオーディエンスに披露する場合）に、過去に特定した最適パターンを利用することができる。
【００４８】
パターン評価部６４は、決定パターンの実行終了時に、当該決定パターンのユーザ評価を歌唱ユーザから受け付けるように構成される。具体的には、パターン評価部６４は、カラオケ楽曲の終了時に、ディスプレイ４２に照明演出パターンのユーザ評価の入力画面を表示させる。このユーザ評価は、上述したように、点数評価であってもよいし、良否評価であってもよい。ユーザ評価は、歌唱ユーザによってリモコン４１を介して入力されるものとする。パターン評価部６４は、入力されたユーザ評価を通信部６０からサーバ２に送信する。なお、パターン評価部６４は、選択的な要素であり、必要に応じて適用され得る。
【００４９】
また、パターン評価部６４は、決定パターンの継続期間のうちの所定割合以上（好ましくは５０％超、より好ましくは７０％程度以上）の部分が実行された場合に決定パターンの再生回数を増分する信号を送信するように構成されてもよい。これにより、上述したような照明演出パターンの試行的な実行又は（例えば、歌唱ユーザに気に入られずに）打ち切られた照明演出パターンの実行が再生回数に含まれず、各登録パターンの人気の指標としての再生回数の信憑性が増す。上記の所定割合は、照明演出パターンの開始からの割合でなくてもよく、継続期間のうちのいずれかの箇所（一連の箇所とは限られない）における割合であればよい。特に、所定割合を５０％超としておけば、１回のカラオケ楽曲の演奏につき再生回数が０又は１だけ増分されることになる。
【００５０】
なお、上記において、全ての照明演出パターンの利用が無料であることを前提としたが、一部の照明演出パターンの利用が有料であってもよい。例えば、特定の作成ユーザ（例えば、特定のクリエータ）が作成した登録パターンについては、その利用について歌唱ユーザに所定の利用料が課金されるようにしてもよい。また、特定の作成ユーザには、所定の報酬が支払われるようにしてもよい。例えば、登録パターンの再生回数に応じてその作成者に報酬が支払われるようにしてもよい。これにより、作成ユーザにおける創作意欲の向上が期待される。
【００５１】
図２に、本発明の実施形態によるシステム１における処理の方法のフロー図を示す。
ステップＳ１００において、作成ユーザが、ユーザ端末３からパターン作成アプリをサーバ２に要求する。
ステップＳ１０５において、サーバ２のアプリ提供部２１が、パターン作成アプリをユーザ端末３に提供する。これにより、パターン作成アプリが、ユーザ端末３にダウンロードされる。
【００５２】
ステップＳ１１０において、作成ユーザが、カラオケ楽曲に対して照明演出パターンを作成する。
ステップＳ１１５において、作成ユーザが、パターン作成アプリを用いて作成した照明演出パターンをユーザ端末３からサーバ２に供給する。
ステップＳ１２０において、サーバ２のパターン登録部２２が、ユーザ端末３から供給された照明演出パターンをカラオケ楽曲に対応付けて記憶部２７に記憶する。
【００５３】
図２においては単一回の処理を示すが、ステップＳ１００〜Ｓ１２０は、複数の作成ユーザサイトＣ（ユーザ端末３）によって複数回にわたって実行されることが想定されている。そして、ステップＳ１１０〜Ｓ１２０は、各作成ユーザサイトＣ（ユーザ端末３）によって複数回実行され得る。
【００５４】
ステップＳ２００において、制御装置６のパターン照会部６１が、歌唱ユーザによって選択されたカラオケ楽曲に対応する候補パターンをサーバ２に照会する。
ステップＳ２０５において、サーバ２の候補パターン提示部２３が、ステップＳ２００において照会されるカラオケ楽曲に対応する候補パターンの識別情報を制御装置６に提示する。ここで、候補パターンに対して評価情報が存在する場合には、候補パターン提示部２３は、その評価情報を識別情報に含めてもよい。
【００５５】
ステップＳ２１０において、制御装置６のパターン決定部６２が、ステップＳ２０５において提示される候補パターンの識別情報を歌唱ユーザに提示し、歌唱ユーザからの入力に応じて候補パターンから決定パターンを決定し、決定パターンの識別をサーバ２に送信する。
ステップＳ２１５において、サーバ２の決定パターン供給部２４が、ステップＳ２１０において送信された決定パターンの識別に対応する決定パターンの照明制御データを制御装置６に供給する。
【００５６】
ステップＳ２２０において、制御装置６のパターン実行部６３が、選択されたカラオケ楽曲のカラオケ装置４による演奏と同期するように、ステップＳ２１５において供給される決定パターンの照明制御データに応じて発光装置５の制御を開始する。
【００５７】
ステップＳ２３０において、制御装置６のパターン評価部６４が、決定パターンの再生回数を増分する信号をサーバ２に送信する。これにより、決定パターンの再生回数が１だけ増分される。ここで、パターン評価部６４は、決定パターンの継続期間のうちの所定割合以上の部分が実行された場合に決定パターンの再生回数を増分する信号をサーバ２に送信するようにしてもよい。
【００５８】
ステップＳ２３５において、制御装置６のパターン評価部６４が、決定パターンの実行終了時に、決定パターンのユーザ評価を（ディスプレイ４２及びリモコン４１を介して）歌唱ユーザから受け付け、受け付けたユーザ評価をサーバ２に送信する。
なお、ステップＳ２３０及びＳ２３５は、選択的なステップであり、一方のみが実行されてもよい。
【００５９】
ステップＳ３００において、サーバ２の評価集計部２５が、ステップＳ２３０又はＳ２３５において取得された評価情報（再生回数又はユーザ評価）を集計する。
ステップＳ３０５において、サーバ２の評価通知部２６が、ステップＳ３００で得られた登録パターンの評価情報をその作成ユーザに通知する。
【００６０】
以上のように、本実施形態の、作成ユーザサイトＣ及び歌唱ユーザサイトＳにおける照明演出パターンの作成及び共有のためのサーバ２は、パターン作成アプリを作成ユーザサイトＣに提供するアプリ提供部２１と、パターン作成アプリ上で作成されて作成ユーザサイトＣから供給される照明演出パターンをカラオケ楽曲に対応付けて登録パターンとして登録するパターン登録部２２と、歌唱ユーザサイトＳから照会されるカラオケ楽曲に対応する登録パターンである候補パターンの識別情報を歌唱ユーザサイトＳに提示する候補パターン提示部２３と、候補パターンの中から歌唱ユーザサイトＳによって選択された候補パターンである決定パターンの照明制御データを歌唱ユーザサイトＳに供給する決定パターン供給部２４とを備える。
【００６１】
上記構成によると、作成ユーザはカラオケ楽曲に対する照明演出パターンを作成してそれをサーバ２に登録し、歌唱ユーザはサーバ２に登録された照明演出パターンのうちの所望のパターンによる照明演出の中でそのカラオケ楽曲の歌唱を楽しむことができる。これにより、照明演出パターンの創造性及び利用性を高めてカラオケ空間の高揚感を向上することが可能な、照明演出パターンの作成及び共有のためのサーバ２が実現される。
【００６２】
さらに、本実施形態の、作成ユーザサイトＣ及び歌唱ユーザサイトＳにおける照明演出パターンの作成及び共有のためのシステム１は、上記のサーバ２と、歌唱ユーザサイトＳに配置された制御装置６とを備える。制御装置６は、歌唱ユーザによって選択されたカラオケ楽曲に対応する候補パターンをサーバ２に照会するパターン照会部６１と、サーバ２から提示される候補パターンの識別情報を歌唱ユーザに提示し、歌唱ユーザからの入力に応じて候補パターンから決定パターンを決定し、その決定パターンの識別をサーバに送信するパターン決定部６２と、選択されたカラオケ楽曲のカラオケ装置４による演奏に同期するように、サーバ２から供給される決定パターンの照明制御データに応じて発光装置５を制御するパターン実行部６３とを備える。
【００６３】
上記構成によると、システム１がサーバ２を含むので、照明演出パターンの創造性及び利用性を高めてカラオケ空間の高揚感を向上することが可能な、照明演出パターンの作成及び共有のためのシステム１が実現される。また、制御装置６が、サーバ２への候補パターンの照会、歌唱ユーザへの候補パターンの提示、歌唱ユーザによる決定パターンの決定及びその識別の送信並びに照明演出パターンの照明制御を統括制御することができる。これにより、歌唱ユーザサイトＳへのシステム１の導入容易性が得られる。
【００６４】
＜変形例＞
以上に本発明の好適な実施形態を示したが、本発明は、例えば以下に示すように種々の態様に変形可能である。
【００６５】
（１）作成ユーザサイトＣと歌唱ユーザサイトＳの関係に関する変形
上記実施形態では、作成ユーザサイトＣと歌唱ユーザサイトＳが遠隔位置にある構成を示したが、作成ユーザサイトＣと歌唱ユーザサイトＳとは実質的に同じ位置に存在していてもよい。例えば、ユーザ端末３が歌唱ユーザサイトＳに設けられてもよい。これにより、実施形態は、作成ユーザが照明効果を現場確認しながら照明演出パターンを作成できるように構成され得る。
【００６６】
（２）歌唱ユーザサイトＳの場所に関する変形
上記実施形態では、歌唱ユーザサイトＳがカラオケルームである構成を示したが、歌唱ユーザサイトＳはこれに限られない。例えば、歌唱ユーザサイトＳは、テレビなどに接続された家庭用カラオケ装置を有する部屋などであってもよい。
【００６７】
（３）制御装置６と歌唱ユーザの間のインターフェースに関する変形
上記実施形態では、候補パターンの照会及び提示、決定パターンの決定、ユーザ評価の入力などにおける制御装置６と歌唱ユーザの間の入出力インターフェースがカラオケ装置４のリモコン４１及びディスプレイ４２である構成を示したが、入出力インターフェースはこれに限られない。例えば、入出力インターフェースは、歌唱ユーザによって携帯される情報通信端末（スマートフォン、タブレットなど）であってもよいし、歌唱ユーザサイトＳに備えられた情報通信端末（タブレット、パソコンなど）であってもよい。これらの場合、制御装置６と上記情報通信端末の間の通信接続が必要となるが、システム１又はサーバ２の導入に伴うカラオケ装置４への変更が最小化され、システム１又はサーバ２の導入容易性が向上し得る。
【符号の説明】
【００６８】
１  システム
２  サーバ
２１  アプリ提供部
２２  パターン登録部
２３  候補パターン提示部
２４  決定パターン供給部
２５  評価集計部
２６  評価通知部
３  ユーザ端末
４  カラオケ装置
５  発光装置
６  制御装置
６１  パターン照会部
６２  パターン決定部
６３  パターン実行部
６４  パターン評価部
Ｃ  作成ユーザサイト
Ｓ  歌唱ユーザサイト
【図１】
2019128556.tif 000003
【図２】
2019128556.tif 000004